(57)【特許請求の範囲】
【請求項１】
水素移動触媒の存在下でフェノ−ル類とアニリン類を加熱反応させてジフェニルアミン類を製造する方法において、触媒量の水素とアンモニアを加えて行うことを特徴とする上記方法。
【請求項２】
フェノ−ル類とアニリン類が、同一の化学的構造を有する骨格を持つフェノ−ル類とアニリン類である請求項１に記載の方法。
【請求項３】
フェノ−ル類がｐ−クレゾ−ルで、アニリン類がｐ−トルイジンである請求項２に記載の方法。
【請求項４】
フェノ−ル類がｍ−クレゾ−ルで、アニリン類がｍ−トルイジンである請求項２に記載の方法。
【発明の詳細な説明】
【０００１】
【発明の属する技術分野】
本発明は、電子写真用有機感光体などの製造に用いられるジフェニルアミン類の製造方法に関するものである。
【０００２】
【従来の技術】
フェノ−ル類とアニリン類を反応させてジフェニルアミン類を製造する方法として、例えば（１）アニリン類と過剰量のフェノ−ル類を水素移動触媒及びそのフェノ−ル類に対応するシクロヘキサノン類、あるいは、水素を存在させて加熱反応させる方法（特公平５−３３２１５号公報）、（２）フェノ−ル類とアニリン類及び該アニリン類に対応するシクロヘキシルアミン類を水素移動触媒の存在下に加熱反応させる方法（特開平１−１００１５２号公報）及び（３）フェノ−ル類とアニリン類をシクロヘキサノ−ルと水素移動触媒の存在下で反応させる方法（特開平６−３３６４６５号公報）等が代表的に知られている。
【０００３】
しかし、上記（１）の方法は、フェノ−ル類をアニリン類に対して２倍モル以上の過剰量、好ましくは、４〜10倍モル使用するので、反応容器についての製造効率が低く、また、反応液から未反応の大量のフェノ−ル類を回収する工程が必要であるから、工業的に著しく不利である。上記（２）の方法は、特に、置換基を持つジフェニルアミンを製造するには、アニリン類に対応する置換基を有するシクロヘキシルアミン類を使用する必要があり、この置換基含有シクロヘキシルアミン類は、例えば、厄介な高圧還元法などにより別途調製しなければならないという問題がある。更に、上記（３）の方法は、置換基をもつジフェニルアミン類を製造する場合には、反応においてシクロヘキサノ−ルに由来する無置換型のジフェニルアミン類が副生し、その副生物が目的物と化学的構造が類似するため分離が容易でなく、工業的に有利な製造方法とはいえない。
【０００４】
また、フェノ−ル類とアニリン類を水素移動触媒の存在下で加熱反応させるジフェニルアミン類の製造方法において、その反応系に水素のみを加えるときは、等モル反応が推定されるにもかかわらず、アニリン類は相対的に早く消費されてフェノ−ル類が多量に残り、複雑な反応のために反応系は濁るだけでなく、高い反応収率で目的物を得ることは実質的に困難である。更に、反応系から目的物を単離することも厄介で工業的に採用し難い。
【０００５】
【発明が解決しようとする課題】
本発明者らは、上記のような従来方法の欠点を克服するために、特に、シクロヘキサノン類，シクロヘキシルアミン類やシクロヘキサノ−ル類等の化学物質を用いることなく、フェノ−ル類とアニリン類を反応させる方法に関して、特に、等モル反応をスム−ズに且つ効率よく行わせて、所望ジフェニルアミン類を製造する方法について鋭意研究を行った結果、実用的に極めて望ましい方法を見出し、本発明を完成した。
【０００６】
【課題を解決するための手段】
本発明は、前記特許請求の範囲の請求項１に記載の要件から成る工業的に優れたジフェニルアミン類の製造方法を提供する。しかして、本発明は、フェノ−ル類とアニリン類を水素移動触媒の存在下で加熱反応させるジフェニルアミン類の製造において、その反応系に、更に、触媒量の水素及びアンモニアを組合せて添加し、加熱反応させることに技術的特徴がある。
【０００７】
【発明の実施の形態】
本発明の方法に使用するフェノ−ル類としては、電子写真用有機感光体への利用に関連して、例えば、フェノ−ル、ｏ−，ｍ−及びｐ−クレゾ−ル、3,4-ジメチルフェノ−ル並びにｐ−メトキシフェノ−ルなどを代表的に挙げることができる。また、アニリン類としては、例えば、アニリン、ｏ−，ｍ−及びｐ−トルイジン、3,4-ジメチルアニリン並びにｐ−メトキシアニリンなどを代表的に挙げることができる。反応に供する上記両物質の割合は、フェノ−ル類１モルに対し、アニリン類 0.8〜1.2 モル、好ましくは、0.9 〜1.1 モルの範囲である。
【０００８】
本発明方法に用いるフェノ−ル類とアニリン類に関して、同一の化学的構造を有する骨格とは、ベンゼン核に結合するＯＨ基とＮＨ２ 基を除いた他の核置換基を含む母体核構造が同一の化学構造を意味する。そのようなフェノ−ル類とアニリン類の組合せとして、例えば、フェノ−ルとアニリン，ｐ−クレゾ−ルとｐ−トルイジン、ｍ−クレゾ−ルとｍ−トルイジンあるいは 3,4−ジメチルフェノ−ルと 3,4−ジメチルアニリン等の組合せが具体的に例示される。本発明の方法においては、得られるジフェニルアミン類の利用性を考慮するとき、上記の他の核置換基は、メチル及びメトキシが代表的であるが、本発明においては、それらに限定されない。
【０００９】
また、本発明の方法に用いられる水素移動触媒は、例えば、パラジウム，ロジウム，ルテニウム，白金などの貴金属、ニッケル，コバルト，銅などの遷移金属類が包含される。これらの触媒金属は、通常、炭素，アルミナ，シリカゲル又は珪藻土などの担体に担持させて用いることが望ましく、特に、パラジウムを炭素に担持させた触媒が実用的に最も望ましい。
【００１０】
本発明の方法に使用される水素は、アンモニアと組合せて反応系に添加使用される。水素は、水素移動触媒の存在下で触媒として作用するので、その添加量は触媒量でよく、例えば、フェノ−ル類１モルに対して0.05〜0.5 モル程度が用いられる。添加量が多すぎると副生物が増加し、少ないと反応が遅くなる。望ましい添加量は、0.2 〜0.3 モルである。また、水素と組合せて使用されるアンモニアは、やはり触媒量でよいが、それ以上でも差し支えない。通常、フェノ−ル類１モルに対して0.01〜0.3 モル程度、望ましくは、0.05〜0.2 モル程度が用いられる。このアンモニアは、気体又は液体で加えてもよいし、アンモニア水の形で供給することもできる。このアンモニア及び前記水素ガスは、反応容器に常圧で加えてもよいが、過圧条件下に供給することもできる。
【００１１】
本発明においては、反応系は 150〜 250℃、望ましくは、180 〜 230℃の温度に加熱される。触媒量の水素とアンモニアが併存する反応系を加熱するときは、アニリン類がフェノ−ル類より早く消費されることなく、等モル反応が極めてスム−ズに進行して反応系が濁ったり不均一反応を起こすなどの不都合が効果的に解消され、反応液から目的物ジフェニルアミン類を効率よく分離取得することができる。このスム−ズできれいな等モル反応は、従来法と比較して明らかなように、反応系にアンモニアを存在させることにより、極めて望ましい効果が達成されたのであって、かかるアンモニアの存在効果は驚くべき意外な発見であった。
【００１２】
本発明の方法により効率的に各種ジフェニルアミン類が製造されるが、特に、電子写真用有機感光体の製造に有用な物質は、ｐ−クレゾ−ルとｐ−トルイジンを反応させて得られるジ−ｐ−トリルアミン、ｍ−クレゾ−ルとｍ−トルイジンから得られるジ−ｍ−トリルアミン及び 3,4−ジメチルフェノ−ルと 3,4−ジメチルアニリンから得られるジ−3,4-ジメチルフェニルアミンである。
【００１３】
本発明の方法の手順の概略を紹介する。反応容器としては、通常、オ−トクレ−ブを用い、これにフェノ−ル類、アニリン類及び水素移動触媒を仕込み、アンモニアを入れる。次いで、所定の水素を導入し反応系を加熱する。反応系では昇温に従って水素の吸収が始まり、内圧が低下する。反応系を、例えば、220 ℃近辺の温度に保つことにより脱水反応により水が生成し、ジフェニルアミン類が合成される。水蒸気圧の発生により上昇した圧力を弁の開閉によって低下させ、生成水を反応系外に逃して反応を促進させる。反応は、通常、５〜10時間で終了する。触媒を濾過して除いた瀘液から、蒸留又は晶析により目的とするジフェニルアミン類が得られる。
【００１４】
以下、実施例により本発明を更に詳細に説明する。
【００１５】
【実施例】
実施例 １
オ−トクレ−ブ（０．５Ｌ）に、ｐ−クレゾ−ル（１０８ｇ，１モル）、ｐ−トルイジン（１１２．４ｇ，１．０５モル）、５％Ｐｄ／Ｃ（１０ｇ）及び２８％アンモニア水（６ｇ，０．１モル）を取った。水素圧（２７ａｔｍ，水素量約０．２モル）を設定して閉鎖系とし、撹拌及び加熱を開始して２２０℃に昇温させた。昇温と共に水素の吸収が起こり、圧力は一たん４ａｔｍに低下したが、反応の進行と共に再び上昇した。圧力が８〜１０ａｔｍになったところで、弁を開いて生成した水蒸気などを放出し、圧力３ａｔｍに低下させた。このような放出を更に３回行った後、７時間で反応は終了した。反応液を暖かいうちに濾過して触媒を除き、やや褐色に着色しているが透明性のある瀘液（１６０ｇ）を得た。ガスクロマトグラフィ−（５％ＰＥＧ−２０Ｍ，３ｍ，２２５℃）におけるジ−ｐ−トリルアミンの面積％は８９．４％であった。瀘液は室温で結晶化したが、熱メタノ−ル（８００ｇ）に溶解し、水（２００ｇ）を加えて氷水冷し、晶析してジ−ｐ−トリルアミン結晶１２９ｇ（収率６５．５％）を得た。
【００１６】
実施例 ２
オ−トクレ−ブ（０．５Ｌ）に、ｍ−クレゾ−ル（１０８ｇ，１モル）、ｍ−トルイジン（１０７ｇ，１モル）、５％Ｐｄ／Ｃ（１０ｇ）及び２８％アンモニア水（３ｇ，０．０５モル）を取った。水素圧（３０atm ，水素量約０．３モル）を設定した他は、実施例１と同様に行い、殆ど無色透明な瀘液（１６０ｇ）を得た。ガスクロマトグラフィ−におけるジ−ｍ−トリルアミンの面積％は８１．５％であった。放置によりやや褐色に着色したが、減圧蒸留して、沸点約１６０℃／５Ｔorr のジ−ｍ−トリルアミン１２０ｇ（収率６１％）を油状物質として得た。
【００１７】
【発明の効果】
本発明の方法によれば、フェノ−ル類とアニリン類とをスム−ズに且つ効率よく脱水反応させて、電子写真用有機感光体などの製造に有用なジフェニルアミン類を工業的に有利に製造することができる。